(57)【要約】  【課題】  １つの電池電源を複数台の携帯電子機器が共有できるうえ、各携帯電子機器をコンパクト化し、さらに操作の利便性をも高められる携帯電子機器の電源装置を提供する。【解決手段】  電池１０を収納する筒状の電池ケース３の外周面３ｄに、前記電池１０の正負極にそれぞれ接続された正負の被接続電極１４，１５が設けられ、前記電池１０の出力電圧を供給すべき複数台の携帯電子機器１，２の各一側面１ｃ，２ｃに、前記正負の被接続電極１４，１５に対向して正負の接続端子４，５が設けられ、これら各一対の正負接続端子４，５は、前記正負の被接続電極１４，１５に対し着脱自在に接続される。【選択図】  図１
2008112689.tif 000002
【特許請求の範囲】
【請求項１】
電池を収納する筒状の電池ケースの外周面に、前記電池の正負極にそれぞれ接続された正負の被接続電極が設けられ、
前記電池の出力電圧を供給すべき複数台の携帯電子機器の各一側面に、前記正負の被接続電極に対向して正負の接続端子が設けられ、これら各一対の正負接続端子は、前記正負の被接続電極に対し着脱自在に接続されることを特徴とする携帯電子機器の電源装置。
【請求項２】
前記正負の被接続電極がそれぞれ環状に形成される一方、前記正負の接続端子が一部に開口を有する略環状で弾性導電材により形成され、その内径が前記被接続電極の外径に略等しく、前記開口が前記被接続電極よりも略小径とされてなることを特徴とする請求項１に記載の携帯電子機器の電源装置。
【請求項３】
前記携帯電子機器が、電源部と電源用スイッチとの間に接続された常開スイッチと、前記電源用スイッチに接続され、この電源用スイッチのオン時に入力する前記電池の出力電圧と予め設定された基準電圧とを比較し、この基準電圧よりも前記出力電圧が高いときに前記常開スイッチをオン動作させる一方、低いときはオフ状態に保つスイッチ制御部と、を備えたことを特徴とする請求項１に記載の携帯電子機器の電源装置。
【請求項４】
前記携帯電子機器が、遠隔操作用のリモコンであることを特徴とする請求項１または３の何れかに記載の携帯電子機器の電源装置。
【発明の詳細な説明】
【技術分野】
【０００１】
本発明は、電池を電源とする携帯電子機器の電源装置に係り、特に、家電機器を遠隔操作するリモコン用の電池を共用可能とし得る携帯電子機器の電源装置に関する。
【背景技術】
【０００２】
携帯用の映像・音響機器や電子ブック等は、よりコンパクトであることが求められるため、構造を改良する各種の提案がなされている。
その一例として、電池ケースのカバー閉め忘れを防止する折畳式電子機器が知られている。
この折畳式電子機器は、電子書籍に適用されたもので、開閉可能に連結された平板状の第1本体部（固定側）および第２本体部（可動側）と、連結部分に設けられた電池ケースと、この電池ケースに電池を出し入れする開口を閉塞するケースカバー並びにストッパ部材（ストッパピン）を備えている。
このストッパ部材は、ケースカバーが開口を閉塞していない状態にあるとき、電池ケースから突出して第1本体部に対し第２本体部が閉じるのを阻止する構成になっている。
これにより、電池ケースのケースカバーを閉めるのを忘れたとき、電子機器を折畳むことができなくなるため、ケースカバーの閉め忘れを防止できるというものである。
【特許文献１】特開平２００５−２３５６９４号公報また、前述の如くケースカバーの閉め忘れが生じても、自動的にカバーの閉め忘れを是正することを目的とした折畳式電子機器も提案されている。このものは、離間した２つのヒンジ部によって開閉可能に連結された第1本体部（固定側）および第２本体部（可動側）と、２つのヒンジ部の間における第1本体部に固定され、このヒンジ部の回動軸に平行な軸を持つ半円筒形状の電池収納部並びにカバー部材を備えている。このカバー部材は、半円筒形状であり、第２本体部側において電池収納部に回動可能に枢着され、第２本体部が第１本体部に対して最も開いた位置から閉じられる方向に移動されたとき、第２本体部によって電池収納部を覆う方向に力が加わる構成になっている。これにより、カバー部材を閉めるのを忘れても、本体部を閉めることで自動的にカバー部材が閉まることになり、カバー部材の閉め忘れが是正される効果を有している。
【特許文献２】特開２００５−１５７７３０号公報  また、携帯性と操作性に優れる電子スチルカメラやディジタルカメラ等の情報処理装置が知られている。
【０００３】
この情報処理装置は、ヒンジ部を再生表示部に回転自在に軸支された再生表示部側支軸と、操作部に回転自在に軸支された操作部側支軸との２軸を連結分離自在に形成している。
【０００４】
そして、再生表示部側支軸には、再生表示部側を駆動する電源電池の格納部が、操作部側支軸には、操作部側を駆動する電源電池の格納部がそれぞれ形成されており、再生表示部側と操作部側とを独立に駆動できるようになっている。
【０００５】
これにより、再生表示部と操作部とを折り畳んで小型化し携帯することができるうえ、再生表示部または操作部の何れかを携帯して機能させることも可能となっている。
【特許文献３】特開平１１−３２７６８３号公報  さらに、携帯用電子機器の持ち運び時にコードが絡まるのを防止することを目的とした電池ケースも提案されている。
【０００６】
この電池ケースは、電池収容部を開閉する蓋を有しており、この蓋に携帯用電子機器の本体とリモコン装置とを接続する付属品コードを巻き付けるようになっている。
【０００７】
これにより、リモコン装置および付属品コードを本体に保持することができるので、携帯用電子機器の持ち運び時にコードが絡まるのが防止される。また、コードを本体内に収容しないことから、本体の小型化が可能になるというものである。
【特許文献４】特開２０００−１３３２３３号公報
【発明の開示】
【発明が解決しようとする課題】
【０００８】
ところで、上記特許文献１および２の折畳式電子機器は、何れも第1本体部と第２本体部とのヒンジ部に円筒状の電池ケースを設け、それぞれに電源電圧を供給するようになっているが、家電用電気機器を遠隔操作する複数のリモコン等を一体化して電池電源を供給するものではなく、適用範囲に一定の限界があった。
また、上記特許文献３の情報処理装置は、再生表示部および操作部の各支軸に電源電池の格納部をそれぞれ形成しているので、再生表示部側と操作部側とを独立に駆動できるが、やはり、複数のリモコンに電源電圧を供給することはできないという一定の限界があった。
さらに、上記特許文献４の発明は、携帯用電子機器の持ち運び時にコードの絡まりを防止し、本体の小型化を可能とするが、複数の携帯用電子機器に電源電圧を供給する構成を有せず、電池の共有化はできないものである。
本発明は、上記課題に鑑みてなされたもので、１つの電池電源を複数台の携帯電子機器が共有できるうえ、各携帯電子機器をコンパクト化し、さらに操作の利便性をも高められる携帯電子機器の電源装置を提供することを目的としている。                 
【課題を解決するための手段】
【０００９】
上記目的を達成するため、本発明による携帯電子機器の電源装置は、電池を収納する筒状の電池ケースの外周面に、前記電池の正負極にそれぞれ接続された正負の被接続電極が設けられ、前記電池の出力電圧を供給すべき複数台の携帯電子機器の各一側面に、前記正負の被接続電極に対向して正負の接続端子が設けられ、これら各一対の正負接続端子は、前記正負の被接続電極に対し着脱自在に接続されることを特徴としている。
また、前記正負の被接続電極がそれぞれ環状に形成される一方、前記正負の接続端子が一部に開口を有する略環状で弾性導電材により形成され、その内径が前記被接続電極の外径に略等しく、前記開口が前記被接続電極よりも略小径とされてなることを特徴としている。
また、前記携帯電子機器が、電源部と電源用スイッチとの間に接続された常開スイッチと、前記電源用スイッチに接続され、この電源用スイッチのオン時に入力する前記電池の出力電圧と予め設定された基準電圧とを比較し、この基準電圧よりも前記出力電圧が高いときに前記常開スイッチをオン動作させる一方、低いときはオフ状態に保つスイッチ制御部と、を備えたことを特徴としている。
また、前記携帯電子機器が、遠隔操作用のリモコンであること特徴としている。
【発明の効果】
【００１０】
以上説明したように、本発明による携帯電子機器の電源装置は、複数台の携帯電子機器側の正負接続端子を前記電池ケース側の正負の被接続電極に装着すると、それぞれが電気的に接続されて各携帯電子機器の電源部に前記電池の出力電圧が供給される一方、使用しない携帯電子機器は電池ケース側から引き離すと電池の出力電圧が供給されないので、１つの電池電源を複数台の携帯電子機器で共有したり、専用にすることができる。
また、電池の収納スペースが省略されるため、各携帯電子機器をコンパクト化できるうえ、多数の携帯電子機器を一箇所に集めて操作できるので、利便性が高められるといった効果がある。
また、携帯電子機器と電池ケースとを把持し、正負接続端子の開口側を前記被接続電極に接して押し込むと、正負接続端子が弾性変形して拡大した後、その内周面が被接続電極の外周面に摺接しつつ縮小し、原形に復した時点で電池ケースを接続端子が強固に挟持する。一方、携帯電子機器と電池ケースとを反対方向へ引っ張ると、正負接続端子が弾性変形して電池ケースから抜き出されるため、必要に応じて電池ケースに携帯電子機器を装着したり、簡便に取り外すことができる利点がある。
また、携帯電子機器の電源用キーをオンしたとき、当該携帯電子機器のスイッチ制御部は電池の出力電圧と予め設定された基準電圧とを比較し、この基準電圧よりも出力電圧が高いときに常開スイッチをオン動作させる一方、低いときはオフ状態に保つので、後から装着した携帯電子機器はその負荷容量および電池の残容量に応じて使用の可否が決まり、現在使用中の携帯電子機器が電圧低下で動作不能になるといった不具合が回避される利点がある。
また、携帯電子機器が遠隔操作用のリモコンであることから、複数台を１つの電池電源で共有可能となり、各リモコンを小型化できるうえ、室内でリモコンが散在していた問題を解消できる利点がある。
【発明を実施するための最良の形態】
【００１１】
以下、本発明に係る携帯電子機器の電源装置の実施形態について、図面を参照しながら詳述する。
図１は、本発明の一実施形態に係る携帯電子機器を示す斜視図、図２は、同携帯電子機器を示す側面図、図３は、電池ケースを示す縦断面図である。
この携帯電子機器の電源装置は、家電用のリモコンに適用され、電池を収納する電池ケース３に複数台を着脱自在に装着して電圧を供給する構成となっている。
本例では、電池ケース３に第１および第２のリモコン２，３を装着する例について説明するが、２台以上の複数台を装着可能である。
第１のリモコン１は、テレビ用であり、右側面１ｃに正負極で一対の接続端子部４，５を設けている。また、第２のリモコン２は、ＤＶＤレコーダー用であり、左側面２ｃに正負極で一対の接続端子部６，７を設けている。
これら接続端子部４，５と６，７は、略環状で周縁の一部に開口４ａ，５ａ，６ａ，７ａを設けている。
接続端子部４，５は、第１のリモコン１の右側面１ｃに基端４ｂ，５ｂが、接続端子部６，７は、第２のリモコン２の左側面２ｃに基端６ｂ，７ｂがそれぞれ突設されており、導電性の弾性材により形成されている。
そして、各接続端子部４〜７は、内径が電池ケース３の被接続電極１４，１５の外径に略等しく、その開口４ａ〜７ａが被接続電極１４，１５よりも略小径とされている。
また、各接続端子部４〜７は、外周面を絶縁材で覆う一方、内周面は露出させており、当該リモコンの電源部にそれぞれ接続している。
この接続端子部４〜７は、弾性を有しているので、電池ケース３に第１および第２のリモコン２，３を容易に着脱することが可能である。
すなわち、開口４ａ〜７ａ側を電池ケース３の被接続電極１４，１５に当てて押し込むと、正負の接続端子部４〜７が弾性変形して拡大した後、その内周面が被接続電極１４，１５の外周面に摺接しつつ縮小し、原形に復した時点で電池ケース３を接続端子部４〜７が強固に挟持する。
一方、リモコン２，３と電池ケース３とを反対方向へ引っ張ると、正負接続端子部４〜７が弾性変形して電池ケース３から抜き出されるため、電池ケース３にリモコン２，３を装着したり、取り外すのが容易になる。
そして、一対の接続端子部４〜７が電池ケース３を挟持した状態では、接続端子部４〜７の内周面が被接続電極１４，１５の外周面に密接して、電気的に接続される。
一方、電池ケース３と第１または第２のリモコン２，３とを把持し、互いに反対方向へ引っ張ると、接続端子部が弾性変形して拡がり、電池ケース３がリモコン２，３から抜き出される。
このように、電池ケース３をリモコンに装着保持したり、簡便に取り外すことができる。
第１のリモコン１は、表面１ａ側にテレビ操作用のキー操作部８を設けている。このキー操作部８は、電源オン・オフ用の押ボタンキー８ａ、メニューキー、テンキー、矢印キー、チャンネルキー、ボリュームキーその他機能キーを備えている。１ｂは裏面である。
また、第２のリモコンも、表面２ａ側にＤＶＤレコーダー操作用のキー操作部９を備えている。このキー操作部９は、電源オン・オフ用の押ボタンキー９ａ、再生キー、停止キー、一時停止キー、早送りキー、早戻しキー、スキップキー、録画キーその他各種機能キーを有している。２ｂは裏面である。
電池ケース３は、図３に示すように、円筒状で単３の電池１０を４本収納する外形および長さを有し、硬質の合成樹脂材により形成されている。この電池ケース３は、上部３ａが開口しており、この開口にキャップ１１を施蓋するようになっている。
すなわち、上部３ａ側の外周面にネジ溝３ｂを刻設する一方、キャップ１１の内周面にはネジ部１１ａを刻設しており、キャップ１１を回転させると、ネジ溝３ｂにネジ部１１ａが螺合し開口を塞ぐようになっている。
また、キャップ１１には、導電性のスプリング１２を収納保持し、電池ケース３の底部３ｃにも導電性のスプリング１３を収納保持している。
そして、４本の電池１０を負極側から電池ケース３内に入れて収納し、キャップ１１を締めるとスプリング１２に電池１０の正極側が接し、電池ケース３の底部３ｃ側が負極で、キャップ１１および上部３ａ側が正極となる。
さらに、この電池ケース３は、外周面３ｄに正負の被接続電極１４，１５が一対設けられている。この被接続電極１４，１５は環状で、電池ケース３の上下両端と中央とを凸状に隆起させた鍔部３ｅの間に嵌着されている。
正側被接続電極１４は、上部３ａ側およびキャップ１１側に、負側被接続電極１５は底部３ｃにそれぞれ接続されている。
よって、電池ケース３内に電池を収納すると、環状の正負被接続電極１４，１５が充電状態となる。
図４は、リモコンの電源側を示す電気回路図である。
この電気回路は、第１および第２のリモコン１，２と共通であり、電源側回路１６，１７にスイッチ制御部１９や常開スイッチ２０をそれぞれ設けている。
【００１２】
スイッチ制御部１９は、ワンチップマイコンであり、メモリを備えている。このメモリには、予め当該リモコンの使用時における負荷容量を基準値とするデータが記憶されている。
そして、各スイッチ制御部１９は、前記押ボタンキー８ａ，９ａの各スイッチ１８に入力側が接続され、出力を常開スイッチ２０に与えるようになっている。
常開スイッチ２０は、ａ接点を有したもので、前記スイッチ１８と電源部２１との間に接続されている。
これにより、スイッチ制御部１９は、押ボタンキー８ａ，９ａが押圧されて、そのスイッチ１８がオンした時に入力する電池の出力電圧と予め設定されたメモリの基準電圧とを比較し、この基準電圧よりも前記出力電圧が高いときに常開スイッチ２０をオン動作させる。
一方、出力電圧が基準電圧よりも低いときは常開スイッチ２０をオフ状態に保つ。
このため、電池１０の容量に応じて使用可能か否かが判別され、電池１０の残容量が少ないときは新しい電池１０と交換することにより、第１のリモコン１が途中で使用できなくなる不具合が回避される。
ところで、ユーザーが２台のリモコンを使用する場合、まず、第１のリモコン１を電池ケース３に装着しておく。
この際、電池ケース３と第１のリモコン１とを把持し、接続端子部４，５を正負被接続電極１４，１５に押し当てて装着すると、接続端子部４，５および電源側回路１６のスイッチ１８側が充電状態となる。
次に、ユーザーが第１のリモコン１の押ボタンキー８ａを押すと、電池１０からの出力電圧がスイッチ制御部１９に導かれる。
このスイッチ制御部１９は、出力電圧とメモリの基準電圧とを比較し、この基準電圧よりも出力電圧が高いときに常開スイッチ２０をオン動作させる。
このため、電池１０からの出力電圧が電源部２１に供給されて、第１のリモコン１が使用可能となり、何れかのキーを操作すると送信部から指令信号が送信されて、テレビを動作させることができる。
続いて、ユーザーが第２のリモコン２を使用するとき、第１のリモコン１と同様に押し当てて電池ケース３に装着する。よって、接続端子部４，５および電源側回路１７のスイッチ１８側が充電状態となる。
ここで、ユーザーが第２のリモコン２の押ボタンキー９ａを押すと、電池１０からの出力電圧がスイッチ制御部１９に導かれる。
このスイッチ制御部１９は、出力電圧と基準電圧とを比較し、この基準電圧よりも入力電圧が高いときに常開スイッチ１９をオン動作させる。
このため、電池１０からの出力電圧が電源部２１に供給されて、第２のリモコン２が使用可能となり、何れかのキーを操作すると送信部から指令信号が送信されて、ＤＶＤレコーダーを動作させることができる。
一方、電池１０の出力電圧が基準電圧よりも低いときは、常開スイッチ２０をオフ状態に保つ。よって、最初に使用を開始した第１のリモコン１は使用を継続でき、次に使用を始めた第２のリモコン２は使用不可能となる。
これにより、電池１０の残容量が少ないときは、ユーザーが気づいて電池１０を交換し、使用を開始することができる。
ところで、上記実施の形態においては、携帯電子機器の電源装置を家電用リモコンに適用する例について説明したが、負荷容量の大きい電子辞書やＭＤプレイヤー等にも広く採用することができる。
これら電子辞書やＭＤプレイヤーも、リモコン１，２と同様、一側部に正負極からなる接続端子部４，５を設け、スイッチ制御部１９や常開スイッチ２０を内蔵しておく。
【００１３】
また、これら電子辞書やＭＤプレイヤーは、予めスイッチ制御部１９のメモリにそれぞれの使用時における負荷容量を基準値とするデータを記憶しておく。
【００１４】
これにより、前記電池ケース３にリモコンを装着したまま電子辞書やＭＤプレイヤーを装着してもよいし、リモコンは外して使用してもよい。
例えば、ユーザーが電池ケース３からリモコンを外して電子辞書を装着し、使用を始めた後、ＭＤプレイヤーを装着した場合、このＭＤプレイヤーの電源用押ボタンキーを押すと、その時点で使用可能か否かが判別される。
ＭＤプレイヤーの容量が大きいために、他のキーを押しても動作を開始しないときは、電子辞書と同時に使用できないことが判り、電子辞書を外してＭＤプレイヤー専用にすることができる。
また、ＭＤプレイヤーが動作を開始すれば、電池ケース３を電子辞書と共用することができる。
なお、負荷容量が比較的大きい携帯電子機器については、電池容量の大きい電池ケース３を製作して専用にしてもよい。
また、本発装置明は上記の各実施形態に限定されず、本発明の趣旨を逸脱しない範囲で、種々の変更が可能である。
【図面の簡単な説明】
【００１５】
【図１】本発明の一実施形態に係る携帯電子機器を示すである。
【図２】同携帯電子機器を示す側面図である。
【図３】電池ケース３を示す縦断面図である。
【図４】携帯電子機器の電源装置を示す電気回路図である。
【符号の説明】
【００１６】
１      携帯電子機器
２      携帯電子機器
１ｃ    一側面
２ｃ    一側面
３      電池ケース
３ｄ    外周面
４，６  正側接続端子
５，７  負側接続端子
１０    電池
１４    正側被接続電極
１５    負側被接続電極
【図１】
2008112689.tif 000003
【図２】
2008112689.tif 000004
【図３】
2008112689.tif 000005
【図４】
2008112689.tif 000006